【手続補正書】
【提出日】平成21年6月16日(2009.6.16)
【手続補正１】
【補正対象書類名】特許請求の範囲
【補正対象項目名】全文
【補正方法】変更
【補正の内容】
【特許請求の範囲】
【請求項１】
アルキルがｎ−ブチルを除くアルキルであるトリｎブチルアルキルアンモニウム塩と水を含有してなることを特徴とする蓄熱性物質。
【請求項２】
臭化トリｎブチルｎペンチルアンモニウムと水を含有してなることを特徴とする蓄熱性物質。
【請求項３】
臭化トリｎブチルｎペンチルアンモニウム水和物を含有してなることを特徴とする蓄熱性物質。
【請求項４】
アルキルがｎ−ブチルを除くアルキルであるトリｎブチルアルキルアンモニウム塩と水を含有してなることを特徴とする蓄熱剤。
【請求項５】
臭化トリｎブチルｎペンチルアンモニウムと水を含有してなることを特徴とする蓄熱剤。
【請求項６】
臭化トリｎブチルｎペンチルアンモニウム水和物を含有してなることを特徴とする蓄熱剤。
【請求項７】
臭化トリｎブチルｎペンチルアンモニウムと、テトラアルキルアンモニウム化合物及び水を含有してなることを特徴とする蓄熱剤。
【請求項８】
臭化トリｎブチルｎペンチルアンモニウム水和物と、テトラアルキルアンモニウム化合物の水和物を含有してなることを特徴とする蓄熱剤。
【請求項９】
臭化トリｎブチルｎペンチルアンモニウム水和物と、臭化テトラｎブチルアンモニウム水和物を含有してなることを特徴とする蓄熱剤。
【請求項１０】
臭化トリｎブチルｎペンチルアンモニウムが、トリブチルアミンと１ブロモペンタンとから合成されることを特徴とする請求項５〜９のいずれかに記載の蓄熱剤。
【請求項１１】
過冷却防止剤を添加したことを特徴とする請求項４〜１０のいずれか一項に記載の蓄熱剤。
【請求項１２】
腐食抑制剤を添加したことを特徴とする請求項４〜１１のいずれか一項に記載の蓄熱剤。
【請求項１３】
アルキルがｎ−ブチルを除くアルキルであるトリｎブチルアルキルアンモニウム塩と水を含有してなることを特徴とする熱輸送媒体。
【請求項１４】
臭化トリｎブチルｎペンチルアンモニウムと水を含有してなることを特徴とする熱輸送媒体。
【請求項１５】
臭化トリｎブチルｎペンチルアンモニウム水和物を含有してなることを特徴とする熱輸送媒体。
【請求項１６】
臭化トリｎブチルｎペンチルアンモニウムを含む水溶液であって、冷却すると水和物を生成してスラリとなることを特徴とする熱輸送媒体。
【請求項１７】
臭化トリｎブチルｎペンチルアンモニウムが、トリブチルアミンと１ブロモペンタンとから合成されることを特徴とする請求項１４〜１６のいずか一項に記載の熱輸送媒体。
【請求項１８】
アルキルがｎ−ブチルを除くアルキルであるトリｎブチルアルキルアンモニウム塩を含有してなることを特徴とする蓄熱剤用融点調整剤。
【請求項１９】
臭化トリｎブチルｎペンチルアンモニウムを含有してなることを特徴とする蓄熱剤用融点調整剤。
【請求項２０】
アルキルがｎ−ブチルを除くアルキルであるトリｎブチルアルキルアンモニウム塩を含有してなることを特徴とする蓄熱剤用過冷却防止剤。
【請求項２１】
臭化トリｎブチルisoペンチルアンモニウムを含有してなることを特徴とする蓄熱剤用過冷却防止剤。
【請求項２２】
トリブチルアミンと１ブロモペンタンとから臭化トリｎブチルｎペンチルアンモニウムを合成し、これを蓄熱剤または熱輸送媒体の主剤とすることを特徴とする蓄熱剤または熱輸送媒体の主剤の製造方法。
【手続補正２】
【補正対象書類名】明細書
【補正対象項目名】００１７
【補正方法】変更
【補正の内容】
【００１７】
（１）発明に係る蓄熱性物質は、アルキルがｎ−ブチルを除くアルキルであるトリｎブチルアルキルアンモニウム塩と水を含有してなることを特徴とするものである。
アルキルがｎ−ブチルを除くアルキルであるトリｎブチルアルキルアンモニウム塩と水を含有してなる水溶液を冷却してアルキルがｎ−ブチルを除くアルキルであるトリｎブチルアルキルアンモニウム塩水和物を生成して該水和物を主成分とする蓄熱性物質とすることができる。
ｎ−ブチルを除くアルキルとしては、ｎペンチル、ｉｓｏ−ペンチルｎプロピル、ｉｓｏ−プロピル、エチル、メチルｎヘキシル、ｉｓｏ−ヘキシルｎヘプチル、ｉｓｏ−ヘプチル、ｉｓｏ−ブチル等が挙げられる。
また、アンモニウム塩として、臭化アンモニウム塩、弗化アンモニウム塩、硝酸アンモニウム塩、亜硝酸アンモニウム塩、塩素酸アンモニウム塩、過塩素酸アンモニウム塩、臭素酸アンモニウム塩、よう素酸アンモニウム塩、炭酸アンモニウム塩、りん酸アンモニウム塩、タングステン酸アンモニウム塩、硫酸アンモニウム塩、水酸化アンモニウム塩、カルボン酸アンモニウム塩、ジカルボン酸アンモニウム塩、スルホン酸アンモニウム塩、ジスルホン酸アンモニウム塩等が挙げられる。
【手続補正３】
【補正対象書類名】明細書
【補正対象項目名】００１８
【補正方法】変更
【補正の内容】
【００１８】
（２）また、本発明に係る蓄熱性物質は、臭化トリｎブチルｎペンチルアンモニウムと水を含有してなることを特徴とするものである。
（３）また、本発明に係る蓄熱性物質は、臭化トリｎブチルｎペンチルアンモニウム水和物を含有してなることを特徴とするものである。
【手続補正４】
【補正対象書類名】明細書
【補正対象項目名】００２０
【補正方法】変更
【補正の内容】
【００２０】
（４）本発明に係る蓄熱剤は、アルキルがｎ−ブチルを除くアルキルであるトリｎブチルアルキルアンモニウム塩と水を含有してなることを特徴とするものである。
アルキルがｎ−ブチルを除くアルキルであるトリｎブチルアルキルアンモニウム塩と水を含有してなる水溶液を冷却してアルキルがｎ−ブチルを除くアルキルであるトリｎブチルアルキルアンモニウム塩水和物を生成して該水和物を主成分とする蓄熱剤とすることができる。
（５）また、本発明に係る蓄熱剤は、臭化トリｎブチルｎペンチルアンモニウムと水を含有してなることを特徴とするものである。
（６）また、本発明に係る蓄熱剤は、臭化トリｎブチルｎペンチルアンモニウム水和物を含有してなることを特徴とするものである。
【手続補正５】
【補正対象書類名】明細書
【補正対象項目名】００３５
【補正方法】変更
【補正の内容】
【００３５】
（１３）本発明に係る熱輸送媒体は、アルキルがｎ−ブチルを除くアルキルであるトリｎブチルアルキルアンモニウム塩と水を含有してなることを特徴とするものである。
【手続補正６】
【補正対象書類名】明細書
【補正対象項目名】００３７
【補正方法】変更
【補正の内容】
【００３７】
（１５）また、本発明に係る熱輸送媒体は、臭化トリｎブチルｎペンチルアンモニウム水和物を含有してなることを特徴とするものである。
【手続補正７】
【補正対象書類名】明細書
【補正対象項目名】００４１
【補正方法】変更
【補正の内容】
【００４１】
（１８）本発明に係る蓄熱剤用融点調整剤は、アルキルがｎ−ブチルを除くアルキルであるトリｎブチルアルキルアンモニウム塩を含有してなることを特徴とするものである。
【手続補正８】
【補正対象書類名】明細書
【補正対象項目名】００４７
【補正方法】変更
【補正の内容】
【００４７】
（２０）本発明に係る蓄熱剤用過冷却防止剤は、アルキルがｎ−ブチルを除くアルキルであるトリｎブチルアルキルアンモニウム塩を含有してなることを特徴とするものである。
蓄熱主剤に、アルキルがｎ−ブチルを除くアルキルであるトリｎブチルアルキルアンモニウム塩もしくはその水溶液を適量添加することにより蓄熱主剤の過冷却を効果的に防止することができる。蓄熱主剤が例えばテトラアルキルアンモニウム化合物水和物の場合には、アルキルがｎ−ブチルを除くアルキルであるトリｎブチルアルキルアンモニウム塩は蓄熱主剤の類縁物質であるので、効果的な過冷却防止能を有している。つまり、テトラアルキルアンモニウム化合物蓄熱主剤と、過冷却防止剤として蓄熱主剤の融点より高い融点のアルキルがｎ−ブチルを除くアルキルであるトリｎブチルアルキルアンモニウム塩もしくはその水溶液を添加した水溶液を冷却すると、先に過冷却防止剤のアルキルがｎ−ブチルを除くアルキルであるトリｎブチルアルキルアンモニウム塩の水和物が生成され、蓄熱主剤の水和物生成の核として作用し過冷却を防止することができる。
過冷却防止剤のアルキルがｎ−ブチルを除くアルキルであるトリｎブチルアルキルアンモニウム塩は蓄熱主剤のテトラアルキルアンモニウム化合物の類縁物質であるので、均一に分散されて過冷却防止能が高く、さらに蓄熱剤の凝固、融解が繰返されても分離することなく、過冷却防止能を維持することができる。
【手続補正９】
【補正対象書類名】明細書
【補正対象項目名】００５１
【補正方法】変更
【補正の内容】
【００５１】
本発明の蓄熱性物質、蓄熱剤、熱輸送媒体及びそれらの主剤は、アルキルがｎ−ブチルを除くアルキルであるトリｎブチルアルキルアンモニウム塩と水を含有してなることから、低価格で腐食性が低く、潜熱量が大きい。それ故、蓄熱剤、熱輸送媒体（マイクロカプセル化したものを含む）及びそれらの主剤として、また蓄熱材や保冷材の内容物として優れた性質を有している。
また、本発明の蓄熱剤用融点調整剤は、蓄熱剤の潜熱量を低下させず融点を調整できる。
また、本発明の蓄熱剤用過冷却防止剤は、過冷却防止効能が高く凝固と融解を繰返しても過冷却防止効能を維持できる。